(57)【要約】  【課題】      ルーバーLへの着脱作業が非常に簡単で、しかも幅の異なる複数種類のルーバーLに対しても１種類でガタツキ無く取り付けることが可能な車載用物品保持具用クリップを提供する。  【解決手段】  スライド部材14をクリップ本体12の長手方向にスライドさせれば、スライド部材14とフック部20との間隔（即ち、ルーバー挿入口Y）を所望の長さに調整・保持できる。したがって、ルーバー挿入口Yの大きさをルーバーLの幅よりも大きめに調整・保持すれば、クリップ10のルーバーLへの着脱を簡単に行うことができる。  また、クリップ10のルーバーLへの取付後、スライド部材14をフック部20側へスライドさせれば、スライド部材14とフック部20とが協働してルーバーLを狭持固定できるので、幅の異なる複数種類のルーバーLに対して１種類のクリップ10でガタツキ無く取り付けることができる。【選択図】      図１
2006182270.tif 000002
【特許請求の範囲】
【請求項１】
一端が車載用物品保持具に取り付けられ、他端にフック部が形成されている長尺のクリップ本体と、
前記クリップ本体にその長手方向に位置調整可能に取り付けられ、前記フック部と協働してエアコン吹出口のルーバーを狭持するスライド部材とで構成されていることを特徴とする車載用物品保持具用クリップ。
【請求項２】
前記クリップ本体に対する前記スライド部材の位置を固定するロック部を備えることを特徴とする請求項１に記載の車載用物品保持具用クリップ。
【請求項３】
前記ロック部は、
前記クリップ本体の長手方向と略直交する方向に延びる突条が前記クリップ本体の長手方向に所定間隔を隔てて複数配列された突条群と、
前記スライド部材に設けられ、ロック時には前記突条間の隙間に嵌りこみ、アンロック時には前記隙間から離脱する爪部材とで構成されていることを特徴とする請求項２に記載の車載用物品保持具用クリップ。
【発明の詳細な説明】
【技術分野】
【０００１】
本発明は、自動車のエアコン吹出口のルーバーに装着可能な車載用物品保持具用クリップに関するものである。
【背景技術】
【０００２】
車載用物品保持具（例えば、ドリンクホルダや携帯電話ホルダ等）(A)をカーエアコンのルーバー(L)に取り付けるためのクリップとして、図８に示すクリップ(1)がある（例えば、特許文献１参照）。
【０００３】
この従来のクリップ(1)は、車載用物品保持具（例えば、ドリンクホルダ）(A)の背面に形成されたクリップ取付孔（図示省略）に取着される取付基部(2)と、取付基部(2)から互いに離間して対向するよう前方に延びる一方の辺(3a)及び他方の薄肉辺(3b)と、一方の辺(3a)の遊端に形成されているフック部(4)とを有する。なお、一方の辺(3a)のフック部(4)と他方の辺(3b)の先端との間に形成されている隙間は、ルーバー挿入口(Y)である。
【０００４】
ドリンクホルダー(A)をエアコンのルーバー(L)に取り付ける際には、ルーバー挿入口(Y)からクリップ(1)をルーバー(L)に取り付け、フック部(4)をルーバー(L)に引っ掛ける。これにより、ドリンクホルダー(A)のルーバー(L)への装着が完了し、ドリンクホルダー(A)に保持されたドリンク缶等にエアコンの風が当たることとなる。
【特許文献１】特開平８−９１１０８号公報
【発明の開示】
【発明が解決しようとする課題】
【０００５】
従来のクリップ(1)では、上述したように、クリップ(1)の着脱作業がルーバー挿入口(Y)を介して行われるのであるが、小さなルーバー挿入口(Y)を介してクリップ(1)をルーバー(L)に着脱させるのは非常に困難な作業である。とりわけ、クリップ(1)の取り外し作業は、クリップ(1)のルーバー挿入口(Y)がエアコン吹出口の奥部に入り込んでいるため、非常に細かな作業を要する困難なものである。
【０００６】
また、ルーバー(L)の幅は多種多様であるため、このような幅の異なる複数種類のルーバー(L)に対して１種類のクリップ(1)で対応できないという問題がある。即ち、幅広のルーバー(L)にクリップ(1)を取り付ける場合には、ルーバー(L)の端部がフック部(4)の下端縁に引っ掛かってしまい、クリップ(1)をルーバー(L)に確実に装着できないという問題がある。他方、幅狭のルーバー(L)にクリップ(1)を取り付ける場合には、クリップ(1)とルーバー(L)との間に隙間が生じ、取付時のガタツキを招いてしまう。
【０００７】
本発明はかかる従来の問題点を改善するためになされたものであり、その目的は、ルーバー(L)への着脱作業が非常に簡単で、しかも幅の異なる複数種類のルーバー(L)に対しても１種類でガタツキ無く取り付けることが可能な車載用物品保持具用クリップを提供することにある。
【課題を解決するための手段】
【０００８】
請求項１に記載の車載用物品保持具用クリップ(10)は、「一端が車載用物品保持具(A)に取り付けられ、他端にフック部(20)が形成されている長尺のクリップ本体(12)と、クリップ本体(12)にその長手方向に位置調整可能に取り付けられ、フック部(20)と協働してエアコン吹出口のルーバー(L)を狭持するスライド部材(14)とで構成されている」ことを特徴とする。
【０００９】
この発明では、スライド部材(14)がクリップ本体(12)にその長手方向に位置調整可能に取り付けられており、スライド部材(14)をスライドさせるだけでスライド部材(14)とフック部(20)との間隔（この部分がルーバー挿入口(Y)として機能する）を所望の長さに保持できる。
【００１０】
請求項２に記載の車載用物品保持具用クリップ(10)は、「クリップ本体(12)に対するスライド部材(14)の位置を固定するロック部(X)を備える」ことを特徴とするものである。
【００１１】
また、請求項３に記載の車載用物品保持具用クリップ(10)は、請求項２のロック部(X)を限定したものであり、「ロック部(X)は、クリップ本体(12)の長手方向と略直交する方向に延びる突条(24)がクリップ本体(12)の長手方向に所定間隔を隔てて複数配列された突条群(22)と、スライド部材(14)に設けられ、ロック時には突条(24)間の隙間(V)に嵌りこみ、アンロック時には前記隙間(V)から離脱する爪部材(30)とで構成されている」ことを特徴とするものである。
【００１２】
これらの発明によれば、クリップ本体(12)に対するスライド部材(14)の取り付け位置をロック部(X)により確実に固定できるので、車載用物品保持具用クリップ(10)をルーバー(L)に取り付けたとき、振動等によってスライド部材(14)がドリンクホルダー(A)側にスライドすることはない。なお、図６に示すように、各突条(24)の断面形状を直角三角形に形成し、その斜面が取付部(18)側を向くように設定しておけば、後述するように、ロック部(X)のロックを解除することなくスライド部材(14)をフック部(20)側へ向けてスライドさせることが可能となる。
【発明の効果】
【００１３】
この発明によれば、スライド部材とフック部との間隔（即ち、ルーバー挿入口の大きさ）を所望の長さに調整し、且つ、その長さに保持できるので、当該ルーバー挿入口をルーバーの幅よりも大きくすることで車載用物品保持具用クリップのルーバーへの着脱作業を非常に簡単に行うことができる。
【００１４】
また、車載用物品保持具用クリップをルーバーに取り付けた時、スライド部材をフック部側へスライドさせれば、スライド部材とフック部とでルーバーを狭持固定できるので、幅の異なる複数種類のルーバーに対して１種類でガタツキなく取り付けることができる。なお、このとき、ルーバー挿入口の幅はルーバー幅よりも狭くなっているので、振動等によってクリップがルーバーから離脱することはない。
【発明を実施するための最良の形態】
【００１５】
以下、本発明を図示実施例に従って詳述する。
【実施例１】
【００１６】
本発明の適用された車載用物品保持具用クリップ（以下、単に「クリップ」という。）(10)は、図７に示すように車載用物品保持具(A)をエアコン吹出口のルーバー(L)に取り付けるためのものであり、図１〜２に示すように、クリップ本体(12)とスライド部材(14)とで大略構成されている。なお、本実施例では、缶飲料等を保持するドリンクホルダー(A)を車載用物品保持具の代表例として説明するが、これに限定されるものではなく、例えば、携帯電話を保持する携帯電話ホルダー等であってもよい。
【００１７】
クリップ本体(12)は、長尺のアーム(16)と、アーム(16)の一端側に設けられた取付部(18)と、アーム(16)の他端側に設けられたフック部(20)とを有する（図３参照）。
【００１８】
アーム(16)は、断面長方形状の長尺部材であり、その長辺方向の長さは、市場に流通しているエアコン吹出口のルーバー(L)の中から最も幅広に形成されているルーバー(L)の幅よりも長く設定されている。なお、アーム(16)の断面形状は、後述するスライド部材(14)をアーム(16)に取り付けた時にスライド部材(14)がアーム(16)の長辺方向を軸として回転することがないよう非円形状に形成されていればよく、例えば楕円形状、扇形状、多角形状等であってもよい。
【００１９】
アーム(16)の上面には、突条群(22)が形成されている。突条群(22)は、後述する爪部材(30)と協働してスライド部材(14)をクリップ本体(12)の長手方向所望の位置に固定するロック部(X)として機能する部分であり、アーム(16)の長手方向と略直交する方向に延びる突条(24)をアーム(16)の長手方向に連続的に複数配列することにより構成されている（勿論、図示しないが、アーム(16)の下面或いは側面に突条群(22)を形成してもよいし、また、アーム(16)に凹条を刻設することにより突条群(22)を形成してもよい。）。
【００２０】
なお、本実施例では、各突条(24)の断面形状が直角三角形状に形成されており、その斜辺(24a)が取付部(18)側を向くように設定されている（図６の円内参照）。
【００２１】
アーム(16)の一方端部には、取付部(18)が一体的に形成されている。取付部(18)は、その外周面に溝(18a)が刻設された略円柱状部分であり、この溝(18a)をドリンクホルダー(A)の背面側に形成されているクリップ取付孔(A1)（図５参照）に嵌め込むことによってクリップ(10)をドリンクホルダー(A)に取り付けることができるようになっている。
【００２２】
なお、本実施例では、取付部(18)の断面形状が円形状に形成されているが、クリップ取付孔(A1)への取り付けが可能であればどのような形状であってもよく、例えば略四角形状であってもよい。
【００２３】
アーム(16)の他方端部には、アーム(16)よりも細幅のフック部(20)が一体的に形成されている。フック部(20)は、略コ字状に曲折形成された部分であり、フック部(20)の先端部分を構成する脚部(20a)が取付部(18)側を向いている。
【００２４】
なお、「略コ字状」とは、アーム(16)から連続して延出し、その先端部分（脚部(20a)）が取付部(18)側を向いているような形状を意味し、これには、本来の「コ字状」の他に「略Ｕ状」、「略Ｖ状」および「略Ｃ状」等が含まれるものとする。
【００２５】
クリップ本体(12)の材質としては、機械的強度や剛性に優れた樹脂（例えば、ポリアセタール（ＰＯＭ）など）が用いられるが、その材質が限定されるものではない。
【００２６】
スライド部材(14)は、クリップ本体(12)にその長手方向に位置調整可能に取り付けられ、フック部(20)と協働してエアコン吹出口のルーバー(L)を狭持するものであり、スライド部材本体(28)と、爪部材(30)とを有する（図４参照）。
【００２７】
スライド部材本体(28)は、断面略Ｕ字状の部材であり、その側板部(28a)(28b)間の内幅(t1)は、フック部(20)の幅(T1)と略等しく、或いは若干大きめに設定されている。
【００２８】
各側板部(28a)(28b)の内側面中央部分には、溝(32)がそれぞれ形成されている。なお、各溝(32)の形状や大きさは、前記クリップ本体(12)を構成しているアーム(16)が嵌まり込むことができるようにアーム(16)の断面形状に応じて適宜設定されている（溝(32)(32)間の内幅(t2)は、アーム(16)の幅(T2)と略等しく、或いは若干大きめに設定されている。）。
【００２９】
各側板部(28a)(28b)の先端（スライド部材本体(28)の上端）には、棒状の摘み(34)がそれぞれ突設されており、側板部(28a)(28b)同士を接続する接続部(28c)（スライド部材本体(28)の下端部）には爪(36)が一体的に形成されている。なお、前記爪(36)は、スライド部材(14)をクリップ本体(12)に取り付けたときにフック部(20)側を向き、且つ、スライド部材(14)をフック部(20)側にスライドさせたとき、爪(36)の先端がフック部(20)を構成している脚部(20a)の先端と当接するように適宜設定されている。
【００３０】
側板部(28a)(28b)同士の間には、接続部材(38)を介して爪部材(30)が一体的に形成されている。爪部材(30)は、前記突条群(22)と協働してスライド部材(14)をクリップ本体(12)の長手方向所望の位置に固定するロック部(X)として機能する棒状部材であり、その下端部には、ロック部(X)のロック時において突条群(22)を構成している突条(24)の斜辺(24a)に当接する傾斜した当接面(30a)が形成されている。なお、爪部材(30)の傾斜した下端尖鋭部（突条(24)の斜辺(24a)と当接する部分）(30b)は、スライド部材(14)をクリップ本体(12)に取り付けた状態において突条(24)間の隙間(V)（即ち、或る突条(24)の斜辺(24a)と、その隣（取付部(18)側）の突条(24)における垂直方向に延びる壁面(24b)とで形成される空間）に嵌り込むようになっている（図６円内参照）。
【００３１】
ここで、スライド部材(14)は、可撓性を有する部材（本実施例では、ポリアミド（ナイロン）などの樹脂材料）によって形成されており、爪部材(30)の上端部を摘んで前後方向に力を付与すると、爪部材(30)が接続部材(38)を軸として撓む（図６参照）。
【００３２】
クリップ(10)を組み立てる際には、クリップ本体(12)のフック部(20)をスライド部材(14)の開口部分（側板部(28a)(28b)、接続部(28c)および爪部材(30)によって囲まれた部分）から挿入し、クリップ本体(12)のアーム(16)をスライド部材(14)の溝(32)に沿って取付部(18)側へ向けてスライドさせる（実際には、後述するようにロック部(X)をアンロックした状態でスライドさせる必要がある。）。
【００３３】
なお、スライド部材(14)をクリップ本体(12)に取り付けた状態では、上述したように、爪部材(30)の下端部(30b)が隣り合う突条(24)(24)同士の隙間(V)に嵌り込んでおり、この状態がロック部(X)のロック状態である。
【００３４】
ロック部(X)がロック状態の場合、スライド部材(14)を取付部(18)側（図１および図６におけるＭ方向）にスライドさせようとしても、突条(24)(24)間の隙間(V)に嵌り込んでいる爪部材(30)の下端尖鋭部(30b)が突条(24)の壁面(24b)に当接するためそれ以上は動かない。そこで、図６の一点鎖線で示したように、爪部材(30)の上端部を摘んでフック部(20)側に若干倒し、爪部材(30)の下端尖鋭部(30b)を前記隙間(V)から離脱させることにより、ロック部(X)のロックを解除（アンロック）する。これにより、スライド部材(14)をクリップ本体(12)の取付部(18)側（Ｍ方向）にスライドさせることが可能となる。
【００３５】
一方、スライド部材(14)をフック部(20)側（図１および図６におけるＮ方向）へスライドさせる場合には、爪部材(30)の当接面(30a)が突条(24)の斜辺(24a)に沿って移動し、爪部材(30)の下端尖鋭部(30b)が右隣（フック部(20)側）の隙間部分(V)に連続的に移動できるので、ロック部(X)のロックを解除することなくスライド部材(14)を容易に移動させることができる。
【００３６】
次に、クリップ(10)を用いてドリンクホルダー(A)をルーバー(L)に取り付ける方法について説明する。
【００３７】
先ず、ドリンクホルダー(A)の背面に形成されている２個のクリップ取付孔(A1)にクリップ(10)の取付部(18)を夫々取り付ける。これにより、ドリンクホルダー(A)へのクリップ(10)の装着が完了する。
【００３８】
次に、ロック部(X)のロックを解除し、スライド部材(14)をドリンクホルダー(A)側へ完全にスライドさせる。なお、スライド部材(14)をドリンクホルダー(A)側へ完全にスライドさせた状態では、フック部(20)を構成している脚部(20a)の先端と、スライド部材(14)の爪(36)の先端との間の隙間（この部分がルーバー挿入口(Y)である。）がルーバー(L)の幅よりも大きく保持されている。
【００３９】
以上の状態にしたクリップ(10)を、取り付けを意図するエアコンの吹出口に設けられたルーバー(L)の上面に載置する。そして、スライド部材(14)をフック部(20)側へスライドさせ、スライド部材(14)とフック部(20)とでルーバー(L)を狭持固定すれば、ドリンクホルダー(A)のルーバー(L)への取り付けが完了する（図７参照）。
【００４０】
また、反対に、ロック部(X)のロックを解除してスライド部材(14)をドリンクホルダー(A)側へ完全にスライドさせれば、ルーバー挿入口(Y)の幅がルーバー(L)の幅よりも大きく保持されるので、このルーバー挿入口(Y)からルーバー(L)に取り付けられていたクリップ(10)を簡単に取り外すことができる。なお、ロック部(X)のロック解除操作は、エアコン吹出口の外側に配置されているスライド部材(14)を介して行われるので、非常に簡単である。
【００４１】
本実施例によれば、車載用物品保持具用クリップ(10)がクリップ本体(12)とスライド部材(14)とで構成されており、スライド部材(14)をクリップ本体(12)の長辺方向に位置調整可能に配置できるので、スライド部材(14)をスライドさせるだけでスライド部材(14)とクリップ本体(12)を構成しているフック部(20)との間隔（即ち、ルーバー挿入口(Y)）を所望の長さに調整・保持できる。つまり、ルーバー挿入口(Y)の大きさをルーバー(L)の幅よりも大きめに調整すれば、クリップ(10)のルーバー(L)への着脱を簡単に行うことができる。
【００４２】
また、クリップ(10)のルーバー(L)への取付後、スライド部材(14)をルーバー(L)側へスライドさせれば、スライド部材(14)とフック部(20)とが協働してルーバー(L)を狭持固定できるので、幅の異なる複数種類のルーバー(L)に対して１種類のクリップ(10)でガタツキ無く取り付けることができる。
【図面の簡単な説明】
【００４３】
【図１】本発明に係る車載用物品保持具用クリップを示す斜視図である。
【図２】車載用物品保持具用クリップの分解斜視図である。
【図３】クリップ本体の六面図である。
【図４】スライド部材の六面図、A-A線断面およびB-B線断面図である。
【図５】車載用物品保持具用クリップをドリンクホルダーに取り付ける方法を示す図である。
【図６】ロック部のロック・アンロック状態を説明する図である。
【図７】本発明に係る車載用物品保持具用クリップを用いてドリンクホルダーをルーバーに取り付けた状態を示す部分断面図である。
【図８】従来技術を示す図である。
【符号の説明】
【００４４】
１０  車載用物品保持具用クリップ
１２  クリップ本体
１４  スライド部材
１６  アーム
２０  フック部
２２  突条群
２４  突条
３０  爪部材
【図１】
2006182270.tif 000003
【図２】
2006182270.tif 000004
【図３】
2006182270.tif 000005
【図４】
2006182270.tif 000006
【図５】
2006182270.tif 000007
【図６】
2006182270.tif 000008
【図７】
2006182270.tif 000009
【図８】
2006182270.tif 000010